【手続補正書】
【提出日】平成27年2月13日(2015.2.13)
【手続補正１】
【補正対象書類名】明細書
【補正対象項目名】００１１
【補正方法】変更
【補正の内容】
【００１１】
そのために本発明は、記録媒体にドットを記録することにより画像を形成するための画像処理装置であって、前記記録媒体の単位領域へのドットの記録および非記録を所定の解像度で示す第１の２値データを取得する取得手段と、前記取得手段により取得された前記第１の２値データにおける所定数の画素により構成される前記単位領域内の記録ドットの数に基づいて、前記単位領域毎の前記ドットの数に対応する多値の値を示し、前記所定の解像度よりも低い解像度の多値データを生成する多値化手段と、前記多値化手段により生成された前記多値データの前記単位領域毎の前記多値の値と、前記多値の値に応じた記録媒体上での前記ドットの配置を示すドット配置パターンと、に基づいて、前記記録媒体の前記単位領域におけるドットの配置を示し、前記所定の解像度を有する第２の２値データを生成する２値化手段と、を備えることを特徴とする。
【手続補正２】
【補正対象書類名】特許請求の範囲
【補正対象項目名】全文
【補正方法】変更
【補正の内容】
【特許請求の範囲】
【請求項１】
記録媒体にドットを記録することにより画像を形成するための画像処理装置であって、  前記記録媒体の単位領域へのドットの記録および非記録を所定の解像度で示す第１の２値データを取得する取得手段と、
前記取得手段により取得された前記第１の２値データにおける所定数の画素により構成される前記単位領域内の記録ドットの数に基づいて、前記単位領域毎の前記ドットの数に対応する多値の値を示し、前記所定の解像度よりも低い解像度の多値データを生成する多値化手段と、
前記多値化手段により生成された前記多値データの前記単位領域毎の前記多値の値と、前記多値の値に応じた記録媒体上での前記ドットの配置を示すドット配置パターンと、に基づいて、前記記録媒体の前記単位領域におけるドットの配置を示し、前記所定の解像度を有する第２の２値データを生成する２値化手段と、
を備えることを特徴とする画像処理装置。
【請求項２】
前記多値化手段は、前記単位領域においてドットの記録を示すデータの数をカウントすることによって、前記第１の２値データに基づいて前記単位領域に対応する前記多値データを生成することを特徴とする請求項１に記載の画像処理装置。
【請求項３】
前記ドット配置パターンは、前記多値データの同じレベル値に対し、記録あるいは非記録の配列を異ならせた複数が用意され、
前記２値化手段は、前記多値データと該多値データを有する前記単位領域の位置に応じて、前記複数のドット配置パターンのうちの１つを設定することを特徴とする請求項１または２に記載の画像処理装置。
【請求項４】
前記２値化手段によって生成された前記第２の２値データに基づいて、前記記録媒体にドットを記録するためにインクを吐出するためのノズルが所定方向に配列されたノズル列と前記記録媒体とを前記所定方向と交差する方向に走査させながら前記ノズルからインクを吐出することにより前記記録媒体に前記ドットの記録が行われ、
前記ノズル列は、前記所定の解像度で前記所定方向に相当する方向に配列される画素からなる複数のカラムのうちの、前記交差する方向において奇数番目の前記カラムを記録媒体に記録する奇数ノズル列と、偶数番目の前記カラムを記録する偶数ノズル列とを有しており、
前記２値化手段は、前記奇数ノズル列が記録する画素と前記偶数ノズル列が記録する画素の数が実質的に均等になるように、前記多値の値および前記ドット配置パターンに基づいて前記第２の２値データを生成することを特徴とする請求項１ないし３のいずれか１項に記載の画像処理装置。
【請求項５】
前記２値化手段によって生成された前記第２の２値データに基づいて、前記記録媒体にドットを記録するためにインクを吐出するためのノズルが所定方向に配列されたノズル列と前記記録媒体とを前記所定方向と交差する方向に走査させながら前記ノズルからインクを吐出する記録手段により前記記録媒体に前記ドットの記録が行われ、
前記所定の解像度で前記所定方向に相当する方向に配列される画素からなる複数のカラムのうちの、前記交差する方向において奇数番目の前記カラムを前記記録媒体に記録する走査と偶数番目の前記カラムを記録する走査とを行うことによって、前記記録媒体に画像を記録し、
前記２値化手段は、前記奇数カラムを記録する走査と前記偶数カラムを記録する走査で記録する画素の数が実質的に均等になるように、前記多値の値および前記ドット配置パターンに基づいて前記第２の２値データを生成することを特徴とする請求項１ないし３のいずれか１項に記載の画像処理装置。
【請求項６】
前記記録手段を更に備えることを特徴とする請求項５に記載の画像処理装置。
【請求項７】
多値の入力画像データを、該多値の入力画像データよりも低い階調数の多値データに変換する量子化手段を更に備え、
前記取得手段は、前記多値の入力画像データを取得し、
前記２値化手段は、前記量子化手段によって得られた前記多値データと、前記所定の解像度で配列する画素のそれぞれに対し記録あるいは非記録を定めた前記ドット配置パターンのサイズと異なるサイズの他のドット配置パターンと、に基づいて前記記録媒体の前記単位領域におけるドットの配置を示す２値データを生成することを特徴とする請求項１ないし６のいずれか１項に記載の画像処理装置。
【請求項８】
多値の入力画像データを、該多値の入力画像データよりも低い階調数の多値データに変換する量子化手段を更に備え、
前記取得手段は前記多値の入力画像データを取得し、
前記２値化手段は、前記量子化手段によって得られた前記多値データと、前記ドット配置パターンと、に基づいて前記記録媒体の前記単位領域におけるドットの配置を示す２値データを生成することを特徴とする請求項１ないし６のいずれか１項に記載の画像処理装置。
【請求項９】
記録媒体にドットを記録することにより画像を形成するための画像処理方法であって、  前記記録媒体の単位領域へのドットの記録および非記録を所定の解像度で示す第１の２値データを取得する取得工程と、 
前記取得工程により取得された前記第１の２値データにおける所定数の画素により構成される前記単位領域内の記録ドットの数に基づいて、前記単位領域毎の前記ドットの数に対応する多値の値を示し、前記所定の解像度よりも低い解像度の多値データを生成する多値化工程と、
前記多値化工程により生成された前記多値データの前記単位領域毎の前記多値の値と、前記多値の値に応じた記録媒体上での前記ドットの配置を示すドット配置パターンと、に基づいて、前記記録媒体の前記単位領域におけるドットの配置を示し、前記所定の解像度を有する第２の２値データを生成する２値化工程と、
を有することを特徴とする画像処理方法。
【請求項１０】
前記多値化工程は、前記単位領域においてドットの記録を示すデータの数をカウントすることによって、前記第１の２値データに基づいて前記単位領域に対応する前記多値データを生成することを特徴とする請求項９に記載の画像処理方法。
【請求項１１】
前記ドット配置パターンは、前記多値データの同じレベル値に対し、記録あるいは非記録の配列を異ならせた複数が用意され、
前記２値化工程は、前記多値データと該多値データを有する前記単位領域の位置に応じて、前記複数のドット配置パターンのうちの１つを設定することを特徴とする請求項９または１０に記載の画像処理方法。
【請求項１２】
前記２値化工程によって生成された前記第２の２値データに基づいて、前記記録媒体にドットを記録するためにインクを吐出するためのノズルが所定方向に配列されたノズル列と前記記録媒体とを前記所定方向と交差する方向に走査させながら前記ノズルからインクを吐出することにより前記記録媒体に前記ドットの記録が行われ、
前記ノズル列は、前記所定の解像度で前記所定方向に相当する方向に配列される画素からなる複数のカラムのうちの、前記交差する方向において奇数番目の前記カラムを記録媒体に記録する奇数ノズル列と、偶数番目の前記カラムを記録する偶数ノズル列とを有しており、
前記２値化工程は、前記奇数ノズル列が記録する画素と前記偶数ノズル列が記録する画素の数が実質的に均等になるように、前記多値の値および前記ドット配置パターンに基づいて前記第２の２値データを生成することを特徴とする請求項９ないし１１のいずれか１項に記載の画像処理方法。
【請求項１３】
前記２値化工程によって生成された前記第２の２値データに基づいて、前記記録媒体にドットを記録するためにインクを吐出するためのノズルが所定方向に配列されたノズル列と前記記録媒体とを前記所定方向と交差する方向に走査させながら前記ノズルからインクを吐出する記録手段により前記記録媒体に前記ドットの記録が行われ、
前記所定の解像度で前記所定方向に相当する方向に配列される画素からなる複数のカラムのうちの、前記交差する方向において奇数番目の前記カラムを前記記録媒体に記録する走査と偶数番目の前記カラムを記録する走査とを行うことによって、前記記録媒体に画像を記録し、
前記２値化工程は、前記奇数カラムを記録する走査と前記偶数カラムを記録する走査で記録する画素の数が実質的に均等になるように、前記多値の値および前記ドット配置パターンに基づいて前記第２の２値データを生成することを特徴とする請求項９ないし１１のいずれか１項に記載の画像処理方法。
【請求項１４】
多値の入力画像データを、該多値の入力画像データよりも低い階調数の多値データに変換する量子化工程を更に有し、
前記取得工程は、前記多値の入力画像データを取得し、
前記２値化工程は、前記量子化工程によって得られた前記多値データと、前記所定の解像度で配列する画素のそれぞれに対し記録あるいは非記録を定めた前記ドット配置パターンのサイズと異なるサイズの他のドット配置パターンと、に基づいて前記記録媒体の前記単位領域におけるドットの配置を示す２値データを生成することを特徴とする請求項９ないし１３のいずれか１項に記載の画像処理方法。
【請求項１５】
多値の入力画像データを、該多値の入力画像データよりも低い階調数の多値データに変換する量子化工程を更に有し、
前記取得工程は前記多値の入力画像データを取得し、
前記２値化工程は、前記量子化工程によって得られた前記多値データと、前記ドット配置パターンと、に基づいて前記記録媒体の前記単位領域におけるドットの配置を示す２値データを生成することを特徴とする請求項９ないし１３のいずれか１項に記載の画像処理方法。
【請求項１６】
請求項９ないし１５のいずれか１項に記載の画像処理方法をコンピュータに実行させるためのプログラム。